(57)【特許請求の範囲】
【請求項１】
ベース、フレーム、パネル、熱交換器及び送風フレームを含むエアコン室内機であって、前記ベースは上下に延びて設置され、前記ベースの上端には、左右方向に沿って間隔を置いて複数の掛止構造が設置され、前記フレームは上支持材、下枠、及び前記上支持材と下枠との間に位置する二つの対向する横接続材を含み、前記上支持材の後端には前記ベースの上端と取り外し可能に掛止される掛止具が設けられ、前記下枠は前記ベースの下端と取り外し可能に接続され、
複数の前記掛止構造において、１組の前記掛止構造から前記上支持材の頂面までの距離は、他の１組の前記掛止構造から前記上支持材の頂面までの距離より大きい
ことを特徴とするエアコン室内機。
【請求項２】
前記掛止構造は前記ベースの上端の前壁面に設けられている掛止穴を含み、前記掛止具は前記上支持材の後端の底面から下へ突出して且つ後ろへ延びている弾性アームを含み、前記弾性アームの自由端の上面には上へ突出する掛着フックが設けられており、前記弾性アームは、前記フレームが組立状態にある時、前記掛着フックが前記ベースの上端の後壁面側に位置し、
前記フレームが組立状態にある場合、前記掛止具と前記掛止構造が掛合して、前後方向において前記フレームが位置決めされ、前記フレームの下端が前記ベースの上端に対して既定の角度まで回動した時、前記掛止具は前記掛止構造から離脱する
ことを特徴とする請求項１に記載のエアコン室内機。
【請求項３】
前記掛止穴の前側の上方には、前記弾性アームが抜け出すための退避凹部が設置され、前記フレームが組立状態にある時、前記弾性アームの下側面と前記掛止穴の下壁面の間には前記弾性アームが抜け出すための退避スペースが形成されている
ことを特徴とする請求項２に記載のエアコン室内機。
【請求項４】
前記ベースの頂面の前記掛止構造に対応する箇所には位置決め突起が設けられ、前記掛止具には前記位置決め突起に外嵌されて接続される位置決め穴が設けられている
ことを特徴とする請求項１に記載のエアコン室内機。
【請求項５】
前記掛止構造は前記ベースの上端の前壁面に設けられている掛止穴を含み、前記掛止具は前記上支持材の後端の底面から下へ突出して且つ後ろへ延びている弾性アームを含み、
前記弾性アームは順に接続されている接続部、支持部及び挿設部を含み、前記接続部は前記上支持材と接続されて且つ前記位置決め穴が設けられており、前記支持部は前記接続部の前端から下へ延びるように形成され、前記挿設部は前記支持部の下端から後ろへ延びるように形成され、前記フレームが組立状態にある時、前記挿設部は前記掛止穴に挿入されている
ことを特徴とする請求項４に記載のエアコン室内機。
【請求項６】
前記掛止穴の前端入口には案内斜面が設けられ、前記案内斜面は前へ向かう方向において上へ傾くように設けられている
ことを特徴とする請求項５に記載のエアコン室内機。
【請求項７】
前記下枠の前面には左右方向に沿って間隔を置いて複数の通り穴が設置され、前記ベースの下端には前記通り穴に対応するように固定穴が設置されて、前記エアコン室内機はさらに締結部材を含み、前記締結部材は前記通り穴と前記固定穴を通って前記フレームと前記ベースとを固定し、或いは、前記下枠は前記ベースの下端と取り外し可能に接続されている
ことを特徴とする請求項１に記載のエアコン室内機。
【請求項８】
前記パネルは互いに組み合わされて前記フレームの前面をカバーする上パネルと下パネル  とを含み、前記上パネルの上端は前記上支持材の前端と枢着されており、前記上パネルの下端は前記上支持材に対して回動して開くことが可能であり、前記下パネルの下端は前記ベースの下端と枢着されており、前記下パネルの上端は前記ベースに対して回動して開くことが可能である
ことを特徴とする請求項１に記載のエアコン室内機。
【請求項９】
請求項１〜８の何れか一項に記載のエアコン室内機を含む
ことを特徴とするエアコン。
【発明の詳細な説明】
【技術分野】
【０００１】
本発明はエアコンの技術分野に関し、特にエアコン室内機及びエアコンに関する。
【背景技術】
【０００２】
エアコンの使用が日増しに普及しつつある現在では、使用者は、エアコンの使用過程においてもたらされる健康問題にもますます関心を持つようになっている。エアコンの実際の使用過程において、室内の空気はフィルター、蒸発器、ファン及び風路を順に通り、そして再び室内に吹き戻るようになっている。以上の部品を適時に掃除しなければ、或いは、掃除が徹底していなければ、上記の部品には、ほこりの付着及び凝縮水、水蒸気の協働により、細菌の繁殖ひいてはかびの発生が起こりやすく、エアコンを通って吹き出す冷たい風も汚染されてしまう。しかし、現在よく見かけるエアコン室内器の組立は通常では、上から下へという手順であり、即ち、ベース（一部の風路はベース上に設置されている）、モータファン、蒸発器、フレーム、フィルター、パネルをこの順で組み立てる。この類の組立構造では、パネルとフィルターが比較的取り外しやすいが、他の部品は組立関係が複雑なため、使用者が自力で取り外して掃除することは不可能となり、自力で取り外して掃除できるのはフィルターだけであり、エアコン室内機に潜在的な健康リスクが生じやすくなる。
【発明の概要】
【発明が解決しようとする課題】
【０００３】
本発明の主な目的は、エアコン室内機の脱着の利便性を向上させて、エアコン室内機に対する徹底した掃除を便利にするためのエアコン室内機を提供することである。
【課題を解決するための手段】
【０００４】
上記の目的を実現するために、本発明が提案するエアコン室内機は、ベース、フレーム、パネル、熱交換器及び送風フレームを含み、前記ベースは上下に延びて設置され、前記ベースの上端には、左右方向に沿って間隔を置いて複数の掛止構造が設置され、前記フレームは上支持材、下枠、及び前記上支持材と下枠との間に位置する二つの対向する横接続材を含み、前記上支持材の後端には前記ベースの上端と取り外し可能に掛止される掛止具が設けられ、前記下枠は前記ベースの下端と取り外し可能に接続される。
【０００５】
好ましくは、複数の前記掛止構造において、１組の前記掛止構造から前記上支持材の頂面までの距離は、他の１組の前記掛止構造から前記上支持材の頂面までの距離より大きい。
【０００６】
好ましくは、前記掛止構造は前記ベースの上端の前壁面に設けられている掛止穴を含み、前記掛止嵌合構造は前記上支持材の後端の底面から下へ突出して且つ後ろへ延びている弾性アームを含み、前記弾性アームの自由端の上面には上へ突出する掛着フックが設けられており、弾性アームは、前記フレームが組立状態にある時、前記掛着フックが前記ベースの上端の後壁面側に位置し、
前記フレームが組立状態にある場合、前記掛止具と前記掛止構造が掛合して、前後方向において前記フレームが位置決めされ、前記フレームの下端が前記ベースの上端に対して既定の角度まで回動した時、前記掛止具は前記掛止構造から離脱する。
【０００７】
好ましくは、前記掛止穴の前側の上方には、前記弾性アームが抜け出すための退避凹部が設置され、前記フレームが組立状態にある時、前記弾性アームの下側面と前記掛止穴の下壁面の間には前記弾性アームが抜け出すための退避スペースが形成されている。
【０００８】
好ましくは、前記ベースの頂面の前記掛止構造に対応する箇所には位置決め突起が設けられ、前記掛止具には前記位置決め突起に外嵌されて接続される位置決め穴が設けられている。
【０００９】
好ましくは、前記掛止構造は前記ベースの上端の前壁面に設けられている掛止穴を含み、前記掛止具は前記上支持材の後端の底面から下へ突出して且つ後ろへ延びている弾性アームを含み、
前記弾性アームは順に接続されている接続部、支持部及び挿設部を含み、前記接続部は前記上支持材と接続されて且つ前記位置決め穴が設けられており、前記支持部は前記接続部の前端から下へ延びるように形成され、前記挿設部は前記支持部の下端から後ろへ延びるように形成され、前記フレームが組立状態にある時、前記挿設部は前記掛止穴に挿入されている。
【００１０】
好ましくは、前記掛止穴の前端入口には案内斜面が設けられ、前記案内斜面は前へ向かう方向において上へ傾くように設けられている。
【００１１】
好ましくは、前記下枠の前面には左右方向に沿って間隔を置いて複数の通り穴が設置され、前記ベースの下端には前記通り穴に対応するように固定穴が設置されて、前記エアコン室内機はさらに締結部材を含み、前記締結部材は前記通り穴と前記固定穴を通って前記フレームと前記ベースとを固定し、或いは、前記下枠は前記ベースの下端と取り外し可能に接続されている。
【００１２】
好ましくは、前記パネルは互いに組み合わされて前記フレームの前面をカバーする上パネルと下パネルとを含み、前記上パネルの上端は前記上支持材の前端と枢着されており、前記上パネルの下端は前記上支持材に対して回動して開くことが可能であり、前記下パネルの下端は前記ベースの下端と枢着されており、前記下パネルの上端は前記ベースに対して回動して開くことが可能である。
【００１３】
本発明はさらに、エアコン室内機を含むエアコンを提案する。当該エアコン室内機は、ベース、フレーム、パネル、熱交換器及び送風フレームを含み、前記ベースは上下に延びて設置され、前記ベースの上端には、左右方向に沿って間隔を置いて複数の掛止構造が設置され、前記フレームは上支持材、下枠、及び前記上支持材と下枠との間に位置する二つの対向する横接続材を含み、前記上支持材の後端には前記ベースの上端と取り外し可能に掛止される掛止具が設けられ、前記下枠は前記ベースの下端と取り外し可能に接続され、前記フレームが組立状態にある場合、前記掛止具と前記掛止構造が掛合して、前後方向において前記フレームを位置決めし、前記フレームの下端が前記ベースの上端に対して既定の角度まで回動した時、前記掛止具は前記掛止構造から離脱する。
【００１４】
本発明のエアコン室内機の技術案では、本エアコン室内機に対して徹底した掃除を行おうとする場合、その関連部品の取り外し手順は以下になる。先ず、パネルを回動させて開けて、送風フレームの前面等を露出させる。そして、下枠とベースの下端との接続を外してから、フレームの下端をベースの上端に対して既定の角度まで回動させれば、掛止具を掛止構造から離脱させることが可能となり、フレームを簡便に取り外せる。フレームを取り外したら、エアコン室内機の熱交換器は完全に露出して、熱交換器に対する徹底した掃除を便利にできると共に、風路、送風フレームとファン等の関連部品に対する徹底した掃除にも有利になる。また、パネルとフレーム等の部品は何れも簡便に取り外せるので、本発明の技術案はさらにエアコン室内機の修理とメンテナンスの利便性を向上させることも可能となる。
【図面の簡単な説明】
【００１５】
本発明の実施例及び従来技術の技術案をより明確に説明するため、以下では、実施例或いは従来技術の説明に必要とされる図面を簡単に紹介する。下記説明における図面は本発明の一部の実施例に過ぎないことは明らかであって、当業者にとって、創造的な労働を行わないことを前提に、これらの図面が示す構造に基づいて他の図面を得ることができる。
【図１】本発明のエアコン室内機の一実施例の組立状態における構造模式図である。
【図２】図１のエアコン室内機の組立状態における背面図である。
【図３】図２のＡ部分の拡大模式図である。
【図４】図１におけるパネルが開放状態であるときの構造模式図である。
【図５】図４における送風ユニットを抜き出した後のエアコン室内機の構造模式図である。
【図６】図５のＢ部分の拡大模式図である。
【図７】図４におけるパネルが取り外し状態であるときの断面構造模式図である。
【図８】図７のＣ部分の拡大模式図である。
【図９】図７におけるフレームが完全に取り外された後のエアコン室内機の構造模式図である。
【図１０】本発明のエアコン室内機の他の実施例の組立状態における断面構造模式図である。
【図１１】図１０のＤ部分の拡大模式図である。
【００１６】
添付図面を参照して、実施例と組み合わせて本発明の目的の実現、機能特徴及び長所をさらに説明する。
【発明を実施するための形態】
【００１７】
以下では、本発明の実施例における図面と組み合わせ、本発明の実施例における技術案を明確且つ完全に説明する。説明される実施例は本発明の全ての実施例ではなく、本願の一部の実施例に過ぎないことは明らかである。本発明における実施例に基づいて、当業者が創造的な労働を行わないことを前提に得られた全ての他の実施例は、本発明の保護する範囲に属す。
【００１８】
本発明の実施例において方向性指示（例えば上、下、左、右、前、後．．．）がある場合、当該方向性指示はある特定の姿勢（添付図面に示す）における各部品間の相対的位置関係、運動状況等を説明するためだけに用いられ、もし当該特定の姿勢が変わる場合、当該方向性指示もそれ相当に変わることは説明しておくべきであろう。
【００１９】
また、本発明の実施例において「第一」、「第二」等の説明がある場合、当該「第一」、「第二」等の説明は、説明のために利用されるだけであって、その相対的重要性を提示又は暗示する、或いは提示される技術的特徴の数を暗示的に指定するように理解すべきではない。これにより、「第一」、「第二」によって限定されている特徴は明示的或いは暗示的に少なくとも一つの当該特徴を含んでもよい。また、各実施例の技術案はお互いに組み合わせることができる。ただし、当業者が実現できることが前提である。技術案の組み合わせに矛盾が生じるか、実現できない場合には、このような技術案の組み合わせが存在しない、且つ本発明が主張する保護範囲にないと理解すべきである。
【００２０】
本発明ではエアコン室内機を提案する。
【００２１】
図１から図９を参照し、本発明の一実施例において、当該エアコン室内機は具体的には、ベース１、フレーム２、パネル３、熱交換器４及び送風フレーム５を含む壁掛け式エアコン室内機である。ベース１は上下に延びて設置され、ベース１の上端には、左右方向に沿って間隔を置いて複数の掛止構造が設置されている。フレーム２は上支持材２１、下枠２２、及び上支持材２１と下枠２２との間に位置する二つの対向する横接続材２３を含む。上支持材２１の後端にはベース１の上端と取り外し可能に掛止されている掛止具が設けられ、下枠２２はベース１の下端と取り外し可能に接続されている。
【００２２】
なお、フレーム２はさらに、上支持材２１と下枠２２との間に設けられているフィルター取り付けフレーム２４を含み、通常は上支持材２１の頂面に吸気口が設けられ、エアコン室内機のフィルターが当該フィルター取り付けフレーム２４に被せるように取り付けられており、吸気口を経由して熱交換器４に入る空気に対するフィルタリングを実現する。また、本実施例では、ベース１の左右両端それぞれに、斜め下向きのガイドレール（不図示）が設置され、それに対応して、送風フレーム５の左右両端それぞれに、ガイドレールと摺動可能に嵌合されるガイドスライダ（不図示）が設置されている。パネル３を開けば、風路ユニット（通常は送風フレーム５、ファン６、モータ７、導風板、ルーバー、軸受座、モータ７のプレスプレート等の部品によって構成されている）をベース１と、フレーム２と、蒸発器の間からガイドレールに沿って抜き出して、送風フレーム５につながっている風路を露出させることができ、風路、送風フレーム５及びファン６等の部品の徹底した掃除を容易にすることが可能となる。
【００２３】
本実施例では、本エアコン室内機に対して徹底した掃除を行おうとする場合、その関連部品の取り外し手順は以下になる。先ず、パネル３を回動させて開けて、送風フレーム５の前面等を露出させる。そして送風フレーム５と、送風フレーム５に固定接続されているファン６及びモータ７とを一体としてベース１から滑るように抜き出し、下枠２２とベース１の下端との接続箇所を露出させる。そして、下枠２２とベース１の下端との接続をはずしてから、フレーム２の下端をベース１の上端に対して既定の角度まで回動させれば、掛止具を掛止構造から離脱させることが可能となり、フレーム２を簡便に取り外せる。フレーム２を取り外したら、エアコン室内機の熱交換器４は完全に露出して、熱交換器４に対する徹底した掃除が容易にきると共に、風路、送風フレーム５とファン６等の部品に対する徹底した掃除にも有利になる。また、パネル３、送風フレーム５、フレーム２等の部品は何れも簡便に取り外せるので、本発明の技術案はさらにエアコン室内機の修理とメンテナンスの利便性を向上させることも可能となる。
【００２４】
図２と図３に示すように、本実施例では、好ましくは、複数の掛止構造において、１組の掛止構造から上支持材２１の頂面までの距離は、他の１組の掛止構造から上支持材２１の頂面までの距離より大きい。例えば、本実施例では、ベース１の上端には、左右方向に沿って間隔を置いて四つの掛止構造が設置されており、中間に位置する二つの掛止構造の位置は比較的低く、それぞれ左右両側に位置する掛止構造の位置は比較的高い。複数の掛止構造が高さの異なる位置に設置されている場合、上支持材２１に対して一定の上下位置決めの効果を奏することができ、フレーム２が上下に揺れる現象を減少して、フレーム２の取り付けの安定性を向上させるのに有利である。
【００２５】
具体的には、本実施例では、図３、図７から図８に示すように、掛止構造はベース１の上端の前壁面に設けられている掛止穴１１を含む。掛止嵌合構造は上支持材２１の後端の底面から下へ突出して且つ後ろへ延びている弾性アーム２１１を含み、当該弾性アーム２１１の自由端の上面には、上へ突出する掛着フック２１１ａが設けられており、フレーム２が組立状態にある時、掛着フック２１１ａがベース１の上端の後壁面側に位置することで、上支持材２１に対して前後方向における位置決めを行うことが可能となる。具体的には、当該掛止穴１１は前後に貫通するように設けられており、且つ、掛止穴１１の上方には一つの薄壁構造からなる弾性掛着片１６が設置されており、フレーム２が組立状態にある時、掛着フック２１１ａは弾性掛着片１６の後壁面に掛着されて、フレーム２の取り外しが必要になった時に、弾性掛着片１６と弾性アーム２１１が互いに弾性変形を起こすことで、掛着フック２１１ａを外すことが可能となる。即ち、フレーム２が組立状態にある場合、掛止具と掛止構造が掛合して、前後方向においてフレーム２を位置決めし、フレーム２の下端がベース１の上端に対して既定の角度まで回動した時、掛止具は掛止構造から離脱する。
【００２６】
さらに、弾性アーム２１１が離脱時に掛止穴１１と干渉するのを避けるために、掛止穴１１の前側の上方には、弾性アーム２１１が抜け出すための退避凹部１２が設置されている。それと共に、フレーム２が組立状態にある時、弾性アーム２１１の下側面と掛止穴１１の下壁面の間に弾性アーム２１１が抜け出すための退避スペースが形成されている。こうして、弾性アーム２１１の離脱時、弾性アーム２１１は先ず下へ一定の距離を移動してから掛着フック２１１ａを外すことが可能となり、弾性アーム２１１の離脱過程をさらに省力して簡単にできる。
【００２７】
勿論、掛止具と掛止構造は他の形状、構造を呈して設置することも可能である。図１０と図１１に示すように、本発明の他の実施例では、上記実施例との主な違いは、ベース１の頂面における掛止構造に対応する箇所に位置決め突起１４が設けられ、掛止具には位置決め突起１４に外嵌されて接続される位置決め穴２１１ｂが設けられ、当該位置決め突起１４と位置決め穴２１１ｂはフレーム２に対して一定の前後位置決め効果を果たすことが可能である。具体的には、掛止構造はベース１の上端の前壁面に設けられている掛止穴１１を含み、掛止具は上支持材２１の後端の底面から下へ突出して且つ後ろへ延びる弾性アーム２１１を含む。弾性アーム２１１は順に接続されている接続部２１１ｃ、支持部２１１ｄ及び挿設部２１１ｅを含み、接続部２１１ｃは上支持材２１と接続されて且つ位置決め穴２１１ｂが設けられており、支持部２１１ｄは接続部２１１ｃの前端から下へ延びるように形成され、挿設部２１１ｅは支持部２１１ｄの下端から後ろへ延びるように形成され、フレーム２が組立状態にある時、挿設部２１１ｅは掛止穴１１に挿入されて、且つ、当該掛止穴１１は弾性アーム２１１に対して一定の上下位置決め効果を果たすことが可能である。ここで、掛止穴１１の上壁面には複数の左右方向に沿って配置される捨て穴が設けられ、任意の二つの隣り合う捨て穴の間にリブ１３が形成されて、当該リブ１３は射出成形プロセスを考慮して設置されているものであることは、特に説明しておく必要がある。さらに、図１１に示すように、掛止穴１１の前端入口には案内斜面１５が設けられ、且つ、当該案内斜面１５は前へ向かう方向において上へ傾くように設けられている。当該案内斜面１５は、弾性アーム２１１の挿設部２１１ｅが掛止穴１１に出入りする時に案内効果を奏し、挿設部２１１ｅがより便利に掛止穴１１に出入りできるようにすることは、理解できるであろう。
【００２８】
図５と図６に示すように、下枠２２の接続や固定方式については、具体的には、本実施例では、下枠２２の前面に左右方向に沿って間隔を置いて複数の通り穴２２１が設置され、ベース１の下端には通り穴２２１に対応するように固定穴（不図示）が設置されて、エアコン室内機はさらに締結部材（不図示）（例えばネジなどを含むが、それに限定されない）を含み、締結部材は通り穴２２１と固定穴を通ってフレーム２とベース１とを固定する。勿論、他の実施例では、下枠２２はベース１の下端に取り外し可能に掛止されてもよい。
【００２９】
図１、図４と図５に示すように、本実施例では、好ましくは／さらに／具体的に、パネル３は互いに組み合わされてフレーム２の前面をカバーする上パネル３１と下パネル３２を含み、上パネル３１の上端は上支持材２１の前端と枢着されており、上パネル３１の下端は上支持材２１に対して回動して開くことが可能で、下パネル３２の下端はベース１の下端と枢着されており、下パネル３２の上端はベース１に対して回動して開くことが可能である。現在よく見かける、上へしか開くことができず、フィルターだけを取り出せるエアコン室内機に対して、本エアコン室内機の上下パネル３２の何れもが回動して開く方式では、送風フレーム５の前面を完全に露出させることができるだけではなく、風路ユニットのスムーズなスライドによる抜き出し及びエアコン室内機の修理やメンテナンスの利便性にも有利であることは、理解できるであろう。なお、上パネル３１と上支持材２１との間、及び下パネル３２とベース１の下端との間は取り外し可能な接続でもよく、取り外し不可能な接続でもよく、両者の間が取り外し可能な接続である場合、フレーム２の取り外しの前に上パネル３１及び／又は下パネル３２を取り外せることは、説明しておく必要がある。
【００３０】
本発明は更に、エアコン室内機を含むエアコンを提案する。当該エアコン室内機の具体的な構造については、上記実施例を参照されたい。本エアコンは上記全ての実施の全ての技術案を採用したので、少なくとも上記実施例の技術案がもたらす全ての技術的効果を有するが、ここでは逐一贅言しない。
【００３１】
以上に述べたことは本発明の好ましい実施例にすぎず、それによって本発明の特許の範囲を制限するわけではない。本発明の発明構想の下で、本発明の明細書及び図面の内容を利用してなされた等価の構造変換、或いは他の関連する技術分野への直接／間接的な応用は、何れも本発明の特許の保護範囲に含まれる。
【符号の説明】
【００３２】
１  ベース
１１  掛止穴
１２  退避凹部
１６  弾性掛着片
１４  位置決め突起
１５  案内斜面
２  フレーム
２１  上支持材
２１１  弾性アーム
２１１ａ  掛着フック
２１１ｂ  位置決め穴
２１１ｃ  接続部
２１１ｄ  支持部
２１１ｅ  挿設部
２２  下枠
２２１  通り穴
２３  横接続材
２４  フィルター取り付けフレーム
３  パネル
３１  上パネル
３２  下パネル
４  熱交換器
５  送風フレーム
６  ファン
７  モータ
１３  リブ
【図１】
0006922001.tif 000002
【図２】
0006922001.tif 000003
【図３】
0006922001.tif 000004
【図４】
0006922001.tif 000005
【図５】
0006922001.tif 000006
【図６】
0006922001.tif 000007
【図７】
0006922001.tif 000008
【図８】
0006922001.tif 000009
【図９】
0006922001.tif 000010
【図１０】
0006922001.tif 000011
【図１１】
0006922001.tif 000012